(57)【特許請求の範囲】
【請求項１】
移動通信システムの基地局での端末のハンドオーバーサポート方法であって、
端末からランダムアクセスプリアンブル(Ｒａｎｄｏｍ  Ａｃｃｅｓｓ  Ｐｒｅａｍｂｌｅ)を受信する段階と、
前記受信されたランダムアクセスプリアンブルに対応し、前記端末へランダムアクセス応答(Ｒａｎｄｏｍ  Ａｃｃｅｓｓ  Ｒｅｓｐｏｎｓｅ)を送信する段階と、
前記ランダムアクセスプリアンブル受信及び前記ランダムアクセス応答送信のうちの少なくとも一つに対応し、前記基地局のＭＡＣ(Ｍｅｄｉｕｍ  Ａｃｃｅｓｓ  Ｃｏｎｔｒｏｌ)レイヤーから前記基地局のＰＤＣＰ(Ｐａｃｋｅｔ  Ｄａｔａ  Ｃｏｎｖｅｒｇｅｎｃｅ  Ｐｒｏｔｏｃｏｌ)レイヤーへ、前記端末のために記憶されたパケット送信開始を指示するインジケーターを送信する段階と、
前記インジケーターに基づき、前記基地局のＰＤＣＰレイヤーが、前記記憶されたパケットの前記端末への送信を開始する段階と、
前記端末からハンドオーバー完了(Ｈａｎｄｏｖｅｒ  Ｃｏｍｐｌｅｔｅ)メッセージを受信する段階と、を含むことを特徴とする、ハンドオーバーサポート方法。
【請求項２】
前記記憶されたパケットは、音声コール関連パケットを含むことを特徴とする、請求項１に記載のハンドオーバーサポート方法。
【請求項３】
移動通信システムの端末でのハンドオーバー方法であって、
基地局にランダムアクセスプリアンブル（Ｒａｎｄｏｍ  Ａｃｃｅｓｓ  Ｐｒｅａｍｂｌｅ）を送信する段階と、
前記基地局から、前記ランダムアクセスプリアンブルに対応してランダムアクセス応答（Ｒａｎｄｏｍ  Ａｃｃｅｓｓ  Ｒｅｓｐｏｎｓｅ）を受信する段階と、
前記ランダムアクセスプリアンブルの受信及び前記ランダムアクセス応答の送信のうちの少なくとも一つに基づき、前記基地局のＭＡＣ（Ｍｅｄｉｕｍ  Ａｃｃｅｓｓ  Ｃｏｎｔｒｏｌ）レイヤーから前記基地局のＰＤＣＰ（Ｐａｃｋｅｔ  Ｄａｔａ  Ｃｏｎｖｅｒｇｅｎｃｅ  Ｐｒｏｔｏｃｏｌ）レイヤーへ、前記端末のために記憶されたパケット送信開始を指示するインジケーターが送信されることに対応し、前記基地局のＰＤＣＰレイヤーから前記端末のために記憶されたパケットを受信する段階と、
前記基地局にハンドオーバー完了（Ｈａｎｄｏｖｅｒ  Ｃｏｍｐｌｅｔｅ）メッセージを送信する段階と、を含むことを特徴とする、ハンドオーバー方法。
【請求項４】
前記記憶されたパケットは、音声コール関連パケットを含むことを特徴とする、請求項３に記載のハンドオーバー方法。
【請求項５】
移動通信システムで端末のハンドオーバーをサポートする基地局であって、
端末と信号を送受信する送受信部と、
前記端末からランダムアクセスプリアンブル（Ｒａｎｄｏｍ  Ａｃｃｅｓｓ  Ｐｒｅａｍｂｌｅ）を受信し、前記受信されたランダムアクセスプリアンブルに対応して前記端末へランダムアクセス応答（Ｒａｎｄｏｍ  Ａｃｃｅｓｓ  Ｒｅｓｐｏｎｓｅ）を送信し、前記ランダムアクセスプリアンブル受信及び前記ランダムアクセス応答送信のうちの少なくとも一つに対応し、前記基地局のＭＡＣ（Ｍｅｄｉｕｍ  Ａｃｃｅｓｓ  Ｃｏｎｔｒｏｌ）レイヤーから前記基地局のＰＤＣＰ（Ｐａｃｋｅｔ  Ｄａｔａ  Ｃｏｎｖｅｒｇｅｎｃｅ  Ｐｒｏｔｏｃｏｌ）レイヤーへ、前記端末のために記憶されたパケット送信開始を指示するインジケーターを送信し、前記インジケーターに基づき、前記基地局のＰＤＣＰレイヤーが、前記記憶されたパケットの前記端末への送信を開始し、前記端末からハンドオーバー完了（Ｈａｎｄｏｖｅｒ  Ｃｏｍｐｌｅｔｅ）メッセージを受信するように前記送受信部を制御する制御部と、を含むことを特徴とする、基地局。
【請求項６】
前記記憶されたパケットは、音声コール関連パケットを含むことを特徴とする、請求項５に記載の基地局。
【請求項７】
移動通信システムでハンドオーバーをする端末であって、
基地局と信号を送受信する送受信部と、
前記基地局にランダムアクセスプリアンブル（Ｒａｎｄｏｍ  Ａｃｃｅｓｓ  Ｐｒｅａｍｂｌｅ）を送信し、前記基地局から、前記ランダムアクセスプリアンブルに対応してランダムアクセス応答（Ｒａｎｄｏｍ  Ａｃｃｅｓｓ  Ｒｅｓｐｏｎｓｅ）を受信し、前記ランダムアクセスプリアンブルの受信及び前記ランダムアクセス応答の送信のうちの少なくとも一つに基づき、前記基地局のＭＡＣ（Ｍｅｄｉｕｍ  Ａｃｃｅｓｓ  Ｃｏｎｔｒｏｌ）レイヤーから前記基地局のＰＤＣＰ（Ｐａｃｋｅｔ  Ｄａｔａ  Ｃｏｎｖｅｒｇｅｎｃｅ  Ｐｒｏｔｏｃｏｌ）レイヤーへ、前記端末のために記憶されたパケット送信開始を指示するインジケーターが送信されることに対応し、前記基地局のＰＤＣＰレイヤーから前記端末のために記憶されたパケットを受信し、前記基地局にハンドオーバー完了（Ｈａｎｄｏｖｅｒ  Ｃｏｍｐｌｅｔｅ）メッセージを送信するように前記送受信部を制御する制御部と、を含むことを特徴とする、端末。
【請求項８】
前記受信する記憶されたパケットは、音声コール関連パケットを含むことを特徴とする、請求項７に記載の端末。
【発明の詳細な説明】
【技術分野】
【０００１】
本発明の実施形態は、無線移動通信システムで端末がハンドオーバーを行うための方法及び装置に関する。より具体的には、端末が一つの基地局で音声コールを含むサービスが受信される状況で隣接の他の基地局へハンドオーバーする時のサービス品質を維持するための方法と装置に関する。
【背景技術】
【０００２】
近年、無線通信技術は急激な発展を成し、これにより通信システム技術も進化を重ねた。このなかで現在４世代動通信技術として脚光を浴びるシステムがＬＴＥシステムである。ＬＴＥシステムでは以前世代の通信技術でサポートされる基本的なセル間の移動技術であるハンドオーバーサポートだけではなく、多様なシナリオでのハンドオーバーシナリオをサポートする。
【０００３】
ハンドオーバー(ｈａｎｄ−ｏｖｅｒ)又はハンドオフ(ｈａｎｄｏｆｆ)は、基地局からデータを受信している状態の端末が当該基地局サービス地域(ｃｅｌｌ ｂｏｕｎｄａｒｙ)を外れて隣接基地局サービス地域に移動する時、端末が隣接基地局の新しいデータチャンネルで自動同調されて持続的に通話状態が維持される機能を言う。ハンドオーバー以前に端末が通信するチャンネルを提供する基地局をソースセル(ｓｏｕｒｃｅ ｃｅｌｌ)又はソース基地局(ｓｏｕｒｃｅ ｂａｓｅ ｓｔａｔｉｏｎ)と言い、ハンドオーバー完了後に端末が通信するチャンネルを提供する基地局をターゲット基地局(ｔａｒｇｅｔ ｂａｓｅ ｓｔａｔｉｏｎ)又はターゲットセル(ｔａｒｇｅｔ ｃｅｌｌ)と言える。すなわち、端末はソースセルを介して通信してからハンドオーバーを行い、以後にはターゲットセルを介して通信するようになる。
【０００４】
従来の通信システムではハンドオーバーイベント発生時に、ソース基地局からターゲット基地局に端末のためのデータフォワーディングが起き、端末がターゲット基地局に接続した以後に前記フォワーディングされたデータをターゲット基地局が端末へ伝達する。このようなハンドオーバー状況でターゲット基地局でフォワーディングされたデータが端末へ送信されるまでメッセージ送受信及び解釈による時間が必要となり、これによりユーザ便宜性が低下されるところ、このような時間を短縮する必要性がある。
【発明の概要】
【発明が解決しようとする課題】
【０００５】
本発明の実施形態は、上述した問題点を解決するために提案されたもので、端末がハンドオーバーを行う時、ターゲット基地局からデータをより速やかに端末に伝達するための方法及び装置を提供することを目的とする。より具体的に、音声コールを含むデータを受信する端末が隣接基地局に移動してハンドオーバーを行う時、端末のために前記隣接基地局でフォワーディングされたデータを端末により速やかに伝達することができる方法及び装置を提供することを目的とする。
【課題を解決するための手段】
【０００６】
上述した課題を達成するために、本発明の一実施形態による移動通信システムの基地局で端末のハンドオーバーサポート方法は、端末からランダムアクセスプリアンブル(Ｒａｎｄｏｍ Ａｃｃｅｓｓ Ｐｒｅａｍｂｌｅ)を受信する段階と、前記端末のために記憶されたパケットを前記端末へ送信する段階と、及び前記端末からハンドオーバー完了(Ｈａｎｄｏｖｅｒ Ｃｏｍｐｌｅｔｅ)メッセージを受信する段階を含み、前記記憶されたパケットは、前記ハンドオーバー完了メッセージを受信する以前に前記端末へ送信開始される。
【０００７】
本発明の他の実施形態による移動通信システムの端末でハンドオーバー方法は、基地局へランダムアクセスプリアンブル(Ｒａｎｄｏｍ Ａｃｃｅｓｓ Ｐｒｅａｍｂｌｅ)を送信する段階と、前記基地局から前記端末のために記憶されたパケットを受信する段階と、及び前記基地局へハンドオーバー完了(Ｈａｎｄｏｖｅｒ Ｃｏｍｐｌｅｔｅ)メッセージを送信する段階を含み、前記記憶されたパケットは、前記ハンドオーバー完了メッセージが前記基地局に受信される以前に前記端末へ送信開始される。
【０００８】
本発明の他の実施形態による移動通信システムで端末のハンドオーバーをサポートする基地局は、端末と信号を送受信する送受信部と、及び前記送受信部を制御し、前記端末からランダムアクセスプリアンブル(Ｒａｎｄｏｍ Ａｃｃｅｓｓ Ｐｒｅａｍｂｌｅ)を受信し、前記端末のために記憶されたパケットを前記端末へ送信し、前記端末からハンドオーバー完了(Ｈａｎｄｏｖｅｒ Ｃｏｍｐｌｅｔｅ)メッセージを受信するように前記基地局を制御する制御部と、を含み、前記記憶されたパケットは、前記ハンドオーバー完了メッセージを受信する以前に前記端末へ送信開始される。
【０００９】
本発明のまた他の実施形態による移動通信システムでハンドオーバーをする端末は、基地局と信号を送受信する送受信部と、及び前記送受信部を制御し、前記基地局へランダムアクセスプリアンブル(Ｒａｎｄｏｍ Ａｃｃｅｓｓ Ｐｒｅａｍｂｌｅ)を送信し、前記基地局から前記端末のために記憶されたパケットを受信し、前記基地局へハンドオーバー完了(Ｈａｎｄｏｖｅｒ Ｃｏｍｐｌｅｔｅ)メッセージを送信するように前記端末を制御する制御部と、を含み、前記記憶されたパケットは、前記ハンドオーバー完了メッセージが前記基地局に受信される以前に前記端末へ送信開始される。
【発明の効果】
【００１０】
本発明の実施形態によれば、データを受信する端末がソース基地局からターゲット基地局にハンドオーバーを行う場合にターゲット基地局から端末のためにフォワーディングされたデータをより速やかに端末へ伝達することによってユーザの便宜性が増大される。
【図面の簡単な説明】
【００１１】
【図１】本発明の実施形態によるＬＴＥシステムの構造を示す図面である。
【図２】本発明の実施形態によるＬＴＥシステムで無線プロトコル構造を示す図面である。
【図３】本発明の一実施形態による通信システムの網構成図である。
【図４】本発明の一実施形態によるＲａｎｄｏｍ Ａｃｃｅｓｓの手続きを示す図面である。
【図５】本発明の一実施形態によるハンドオーバー過程を示す図面である。
【図６】本発明の他の実施形態によるハンドオーバー過程を示す図面である。
【図７】本発明の実施形態によるターゲット基地局の動作を示す図面である。
【図８】本発明の実施形態による基地局を示す図面である。
【図９】本発明の実施形態による端末を示す図面である。
【発明を実施するための形態】
【００１２】
以下、本発明の実施形態を添付された図面を参照して詳細に説明する。
【００１３】
実施形態を説明するにあたり、本発明が属する技術分野によく知られており本発明と直接的に関連がない技術内容に対しては説明を省略する。これは不必要な説明を省略することによって本発明の要旨を明瞭にし、より明確に伝達するためである。
【００１４】
同様の理由で添付図面において一部構成要素は誇張されたり省略されたり概略的に図示された。また、各構成要素のサイズは実際サイズを全的に反映することではない。各図面で同一又は対応する構成要素には同一参照番号を付した。
【００１５】
本発明の利点及び特徴、及びそれらを達成する方法は、添付する図面と共に詳細に後述する実施形態を参照すれば明確であろう。しかし。本発明は以下で開示される実施形態で限定されるものではなく、互いに異なる多様な形態で具現されることができ、ただ本実施形態は本発明の開示が完全にし、本発明が属する技術分野で通常の知識を有する者に発明の範疇を完全に知らせるために提供されるものであり、本発明は請求項の範疇によって定義されるだけである。明細書全体にかけて同一参照符号は同一構成要素を指称する。
【００１６】
この時、処理フローチャートの各ブロックとフローチャートの組合せは、コンピュータープログラムインストラクションによって行われることができることを理解することができるだろう。これらコンピュータープログラムインストラクションは、汎用コンピューター、特殊用コンピューター又はその他プログラム可能なデータプロセッシング装備のプロセッサに搭載されることができるので、コンピューター又はその他プログラム可能なデータプロセッシング装備のプロセッサを通じて行われるそのインストラクションが、フローチャートブロックで説明された機能を行う手段を生成するようになる。これらコンピュータープログラムインストラクションは、特定方式で機能を具現するためにコンピューター又はその他のプログラム可能なデータプロセッシング装備を志向することができるコンピューター利用可能、又はコンピューター判読可能メモリーに記憶されることも可能であるので、そのコンピューター利用可能又はコンピューター判読可能メモリーに記憶されたインストラクションは、フローチャートブロックで説明された機能を行うインストラクション手段を内包する製造品目を生産することも可能である。コンピュータープログラムインストラクションは、コンピューター又はその他プログラム可能なデータプロセッシング装備上に搭載されることも可能であるので、コンピューター又はその他プログラム可能なデータプロセッシング装備上で一連の動作段階が行われ、コンピューターで実行されるプロセスを生成してコンピューター又はその他プログラム可能なデータプロセッシング装備を行うインストラクションはフローチャートブロックで説明された機能を行うための段階を提供することも可能である。
【００１７】
また、各ブロックは、特定された論理的機能を行うための１つ以上の実行可能なインストラクションを含むモジュール、セグメント又はコードの一部を示すことができる。また、幾つか代替実行例ではブロックで言及された機能が手順を外れて発生することも可能であることを注目しなければならない。例えば、接して示されている２つのブロックは、実は実質的に同時に行われることも可能で、又はそのブロックが時々該当する機能によって逆順に行われることも可能である。
【００１８】
この時、本実施形態に用いられる‘〜部’という用語は、ソフトウェア又はＦＰＧＡ、並びにＡＳＩＣのようなハードウェア構成要素を意味し、‘〜部’はどんな役目をも行う。しかし、‘〜部’は、ソフトウェア又はハードウェアで限定される意味ではない。‘〜部’はアドレシングすることができる記憶媒体にあるように構成されることもでき、１つ又はその以上のプロセッサを再生させるように構成されることもできる。したがって、一例として‘〜部’はソフトウェア構成要素、客体志向ソフトウェア構成要素、クラス構成要素及びタスク構成要素のような構成要素と、プロセス、関数、属性、プロシージャ、サブルーティン、プログラムコードのセグメント、ドライバー、ファームウエア、マイクロコード、回路、データ、データベース、データ構造、テーブル、アレイ、及び変数を含む。構成要素と‘〜部’のうちで提供される機能はより小さい数の構成要素及び‘〜部’に結合されたり追加的な構成要素と‘〜部’でさらに分離することができる。それだけでなく、構成要素及び‘〜部’はデバイス又は保安マルチメディアカード内の１つ又はその以上のＣＰＵを再生させるように具現されることもできる。
【００１９】
また、本発明の実施形態はＬＴＥシステムを基準で説明するがユーザ端末が複数個の基地局間でハンドオーバーを行うことができる他の通信システムにも適用されることができることは自明である。
【００２０】
図１は、本発明の実施形態によるＬＴＥシステムの構造を示す図面である。
【００２１】
図１を参照すれば、示されたようにＬＴＥシステムの無線アクセスネットワークは次世代基地局(Ｅｖｏｌｖｅｄ Ｎｏｄｅ Ｂ、以下、ｅＮＢ、Ｎｏｄｅ Ｂ又は基地局)１０５、１１０、１１５、１２０とＭＭＥ(１２５、Ｍｏｂｉｌｉｔｙ Ｍａｎａｇｅｍｅｎｔ Ｅｎｔｉｔｙ)及びＳ-ＧＷ(１３０、Ｓｅｒｖｉｎｇ-Ｇａｔｅｗａｙ)から構成される。ユーザ端末(Ｕｓｅｒ Ｅｑｕｉｐｍｅｎｔ、以下、ＵＥ又は端末)１３５は、ｅＮＢ(１０５〜１２０)及びＳ−ＧＷ１３０を介して外部ネットワークに接続する。
【００２２】
図１でｅＮＢ(１０５〜１２０)は、ＵＭＴＳシステムの既存ノードＢに対応される。ｅＮＢはＵＥ１３５と無線チャンネルで接続されて既存ノードＢより複雑な役目を行う。ＬＴＥシステムではインターネットプロトコルを通じるＶｏＩＰ(Ｖｏｉｃｅ Ｏｖｅｒ ＩＰ)のようなリアルタイムサービスを含むすべてのユーザトラフィックが共用チャンネル(ｓｈａｒｅｄ ｃｈａｎｎｅｌ)を介してサービスされるので、ＵＥのバッファー状態、使用可能送信電力状態、チャンネル状態などの状態情報を集めてスケジューリングをする装置が必要であり、これをｅＮＢ(１０５〜１２０)が担当する。一つのｅＮＢは通常多数のセルを制御する。例えば、１００Ｍｂｐｓの送信速度を具現するためにＬＴＥシステムは、例えば、２０ＭＨｚ帯域幅で直交周波数分割多重方式(Ｏｒｔｈｏｇｏｎａｌ Ｆｒｅｑｕｅｎｃｙ Ｄｉｖｉｓｉｏｎ ＭＵＬＴＩＰＬＥＸＩＮＧ、以下、ＯＦＤＭとする)を無線接続技術で使用する。さらに、端末のチャンネル状態に合わせて変調方式(ｍｏｄｕｌａｔｉｏｎ Ｓｃｈｅｍｅ)とチャンネルコーディング率(ｃｈａｎｎｅｌ ｃｏｄｉｎｇ ｒａｔｅ)を決定する適応変調コーディング(ＡｄａｐｔｉｖｅＭｏｄｕｌａｔｉｏｎ ＆ Ｃｏｄｉｎｇ、以下、ＡＭＣとする)方式を適用する。Ｓ−ＧＷ１３０はデータベアラーを提供する装置であり、ＭＭＥ１２５の制御に応じてデータベアラーを生成したり除去したりする。ＭＭＥは、端末に対する移動性管理機能はもちろん各種制御機能を担当する装置で多数の基地局と接続される。
【００２３】
図２は、本発明の実施形態によるＬＴＥシステムで無線プロトコル構造を示す図面である。
【００２４】
図２を参照すれば、ＬＴＥシステムの無線プロトコルは端末とｅＮＢでそれぞれＰＤＣＰ(Ｐａｃｋｅｔ Ｄａｔａ Ｃｏｎｖｅｒｇｅｎｃｅ Ｐｒｏｔｏｃｏｌ ２０５、２４０)、ＲＬＣ(Ｒａｄｉｏ Ｌｉｎｋ Ｃｏｎｔｒｏｌ２１０、２３５)、ＭＡＣ(Ｍｅｄｉｕｍ ＡｃｃｅｓｓＣｏｎｔｒｏｌ２１５、２３０)からなる。
【００２５】
ＰＤＣＰ(ｐａｃｋｅｔ Ｄａｔａ Ｃｏｎｖｅｒｇｅｎｃｅ Ｐｒｏｔｏｃｏｌ)２０５、２４０はＩＰヘッダー圧縮／復元などの動作を担当し、無線リンク制御(Ｒａｄｉｏ Ｌｉｎｋ Ｃｏｎｔｒｏｌ、以下、ＲＬＣとする)２１０、２３５はＰＤＣＰ ＰＤＵ(ｐａｃｋｅｔ Ｄａｔａ Ｕｎｉｔ)を適切なサイズに再構成する。
【００２６】
ＭＡＣ２１５、２３０は一端末に構成された多くのＲＬＣ階層装置と接続され、ＲＬＣＰＤＵをＭＡＣ ＰＤＵに多重化してＭＡＣ ＰＤＵからＲＬＣＰＤＵを逆多重化する動作を行う。
【００２７】
物理階層２２０、２２５は、上位階層データをチャンネルコーディング及び変調し、ＯＦＤＭシンボルで造って無線チャンネルへ送信したり、無線チャンネルを介して受信したＯＦＤＭシンボルを復調してチャンネルデコーディングして上位階層へ伝達する動作をする。さらに、物理階層でも追加的なエラー訂正のために、ＨＡＲＱ(Ｈｙｂｒｉｄ ＡＲＱ)を使用しており、受信端では送信端へ送信したパケットの受信可否を１ビットへ送信する。これをＨＡＲＱ ＡＣＫ／ＮＡＣＫ情報と言う。アップリンク送信に対するダウンリンクＨＡＲＱ ＡＣＫ／ＮＡＣＫ情報はＰＨＩＣＨ(Ｐｈｙｓｉｃａｌ Ｈｙｂｒｉｄ-ＡＲＱ Ｉｎｄｉｃａｔｏｒ Ｃｈａｎｎｅｌ)物理チャンネルを介して送信されてダウンリンク送信に対するアップリンクＨＡＲＱＡＣＫ／ＮＡＣＫ情報はＰＵＣＣＨ (Ｐｈｙｓｉｃａｌ Ｕｐｌｉｎｋ Ｃｏｎｔｒｏｌ Ｃｈａｎｎｅｌ)や ＰＵＳＣＨ (Ｐｈｙｓｉｃａｌ ＵｐＬｉｎｋ Ｓｈａｒｅｄ Ｃｈａｎｎｅｌ)物理チャンネルを介して送信されることができる。
【００２８】
図３は、本発明の一実施形態による通信システムの網の構成図である。
【００２９】
図３を参照すれば、本発明の一実施形態による通信システム３００は、端末３１０、ソース基地局３４０及びターゲット基地局３７０を含む。端末３１０は、ソース基地局３４０のカバレッジ３５０に属してソース基地局３４０を介して通信を進行してから移動方向３０１に移動してソース基地局３４０のカバレッジ３５０から外れてターゲット基地局３７０のカバレッジ３８０に進入する。
【００３０】
端末３１０がソース基地局３４０のカバレッジ３５０から外れて通信が終了されることを防止するために端末３１０がソース基地局３４０の代わりにターゲット基地局３７０を介して通信を進行するようにする基地局変更が行われる。
【００３１】
端末３１０で基地局変更が行われる期間の間、ソース基地局３４０へ伝達されたパケット中で端末３１０へ伝達しなければならないパケットはターゲット基地局３７０でフォワーディングされて記憶されることができる。
【００３２】
ターゲット基地局３７０は、フォワーディングされたパケットを記憶してから端末３１０に記憶されたパケットを伝達することができる。ターゲット基地局３７０がパケットを記憶してから端末３１０に伝達するのでターゲット基地局３７０がパケットをバッファリングすると表現することもできる。また、ターゲット基地局３７０は端末３１０へ伝達しなければならないパケットがコア網から伝達されることもできる。
【００３３】
また、実施形態によって端末３１０は基地局変更が完了した後、ターゲット基地局３７０に基地局変更が完了したことを通知する。例えば、端末３１０はＰＤＣＰヘッダーのＲビット中で予め約束されたいずれか１つ(ＣＣＡビット)を１と設定し、そのＰＤＣＰヘッダーを含むメッセージをターゲット基地局３７０へ送信することができる。ターゲット基地局３７０はＰＤＣＰヘッダーを含むメッセージを受信し、受信したＰＤＣＰヘッダーを分析する。ターゲット基地局３７０は、受信したＰＤＣＰヘッダーのＣＣＡビットが１ならば端末３１０の基地局変更が完了したことで判定することができる。
【００３４】
この時、ターゲット基地局３７０が記憶していたパケットを端末３１０に伝達する時点を判定するために判定を行うことができる。より具体的に、端末に記憶されたパケットを伝達することができる状況であることが判定されると、バッファリングしたパケットを端末３１０に伝達することができる。ターゲット基地局３７０はさらに受信されたパケットの性格に応じてバッファリングしたパケットを伝達する時点を判定することもできる。ターゲット基地局３７０が端末に記憶されたパケットを伝達する時点を判定する過程に対しては後述するようにする。
【００３５】
図４は、本発明の一実施形態によるＲａｎｄｏｍ Ａｃｃｅｓｓの手続きを示す図面である。
【００３６】
図４を参照すれば、実施形態で端末４０５が基地局４１０にランダムアクセスを行うことができる。前記ランダムアクセス過程はプリアンブル送信、ランダムアクセス応答受信、メッセージ３送信及び衝突解消を含むことができる。場合により、後の２段階は省略されることもできる。
【００３７】
実施形態でランダムアクセスが行われる場合は端末がＲＲＣ_ＣＯＮＮＥＣＴＥＤ状態にあるが、アップリンク同期されていなく、新しいアップリンクデータや制御情報を送信しなければならない場合、端末がＲＲＣ_ＣＯＮＮＥＣＴＥＤ状態にあるが、アップリンク同期されていなく、新しいダウンリンクデータを受信し、これに対するＡＣＫ／ＮＡＣＫを送信しなければならない場合、端末がＲＲＣ_ＣＯＮＮＥＣＴＥＤ状態にあり、ソースセルからターゲットセルにハンドオーバーする場合、端末がＲＲＣ_ＩＤＬＥ状態からＲＲＣ_ＣＯＮＮＥＣＴＥＤ状態に転換する場合(例えば、初期接続又はトラッキング領域更新の場合)及び無線リンク失敗後にさらに接続状態に進入する場合のうちの少なくとも一つを含むことができる。実施形態の端末はソースセルからターゲットセルにハンドオーバーする場合のハンドオーバー過程を行うことができる。
【００３８】
実施形態で端末４０５は任意の理由でランダムアクセスを行わなければならない状況が発生すると、ランダムアクセスを行うセルのランダムアクセス送信リソース情報を参考し、どんな時点にどんな送信リソース(周波数リソースと時間リソース)を介してどんなプリアンブルを基地局４１０に送信するか判定する。
【００３９】
段階４１５で端末４０５は現在チャンネル状況、例えば、経路損失などを参考して計算されたプリアンブル送信出力を適用してプリアンブルを送信することができる。より具体的に、プリアンブル送信電力の初期値は経路損失を考慮して決定されることができる。また、端末４０５はダウンリンクのＲＳＲＰ(Ｒｅｆｅｒｅｎｃｅ Ｓｉｇｎａｌ Ｒｅｃｅｉｖｅｄ Ｐｏｗｅｒ)の平均値を測定して経路損失を推定することができる。また、端末は所望のＳＩＮＲ(Ｓｉｇｎａｌ ｔｏ Ｉｎｔｅｒｆｅｒｅｎｃｅ ｐｌｕｓ Ｎｏｉｓｅ Ｒａｔｉｏ)、ＲＡＣＨプリアンブルに割り当てられた時間周波数スロットで測定されたアップリンク干渉と雑音水準及びプリアンブル形態のうちの少なくとも一つに基づいて電力オフセットを決定することができる。
【００４０】
段階４２０で基地局４１０は端末４０５が送信したプリアンブルを受信し、これに対する応答(Ｒａｎｄｏｍ Ａｃｃｅｓｓ Ｒｅｓｐｏｎｓｅ、ＲＡＲ)メッセージを生成して端末４０５に送信する。前記ＲＡＲメッセージには端末４０５のアップリンク送信タイミング調整コマンド(Ｔｉｍｉｎｇ Ａｄｖａｎｃｅ、ＴＡ)、Ｔｅｍｐｏｒａｒｙ Ｃ−ＲＮＴＩ(Ｃｅｌｌ Ｒａｄｉｏ Ｎｅｔｗｏｒｋ Ｔｅｍｐｏｒａｒｙ Ｉｄｅｎｔｉｆｉｅｒ)及びメッセージ３送信のためのアップリンク送信リソース関連情報(Ｕｐｌｉｎｋｇｒａｎｔ、ＵＬｇｒａｎｔ)のうちの少なくとも一つが含まれる。より具体的に、ＲＡＲはＰＤＣＣＨを介して送信されるＲＡ-ＲＮＴＩにより指示されることができる。端末４０５は、ＲＡ−ＲＮＴＩ(Ｒａｎｄｏｍ Ａｃｃｅｓｓ Ｒａｄｉｏ Ｎｅｔｗｏｒｋ Ｔｅｍｐｏｒａｒｙ Ｉｄｅｎｔｉｆｉｅｒ)に基づいてプリアンブルが検出される時間-周波数スロットを確認することができるようにする。また、端末４０５が設定された時間ウィンドウ内でＲＡＲを受信することができない場合、端末４０５は基地局４１０にプリアンブルを再送信することができる。
【００４１】
段階４２５で端末４０５はＲＡＲで受信した情報に基づいてメッセージ３を送信することができる。前記メッセージ３には端末４０５の識別子情報が含まれることができる。より具体的に、メッセージ３はＰＵＳＣＨ上で最初にスケジューリングされたアップリンク送信であり、ＨＡＲＱ(Ｈｙｂｒｉｄ Ａｕｔｏｍａｔｉｃ Ｒｅｐｅａｔ Ｒｅｑｕｅｓｔ)を用いることができる。端末４０５はこのメッセージを用いてＲＲＣ接続要求、トラッキング領域更新及びスケジューリング要求のようなランダムアクセス手続きメッセージのうちの少なくとも一つを伝達することができる。また、前記メッセージ３はＲＡＲで割り当てられたＴｅｍｐｏｒａｒｙＣ-ＲＮＴＩ、Ｃ-ＲＮＴＩ及び４８ビット端末Ｉｄｅｎｔｉｔｙのうちの少なくとも一つを含むことができる。
【００４２】
段階４２０で基地局４１０は受信したメッセージ３に対する応答で競争解消メッセージを送信することができる。一般的にこれを衝突解消と言う。より具体的に、競争解消段階を行うことによって多数の端末が同一のプリアンブルへ送信する場合、実際にプリアンブルが認識された端末を区別することができる。もし、基地局４１０がプリアンブルを受信することができないと、これに対する応答メッセージを送信しないので端末４０５は応答メッセージ受信に失敗する。端末４０５は所定の時間が経た後、プリアンブルを再送信し、この時、送信出力を定められた値ほど上げて送信することによって一種のアップリンク送信出力制御(ｕｐｌｉｎｋ ｐｏｗｅｒ ｃｏｎｔｒｏｌ)を共に行う。
【００４３】
上述したように、ランダムアクセス過程は様々な理由で開始されることができる。例えば、スケジューリングリクエストのためにランダムアクセスを開始したり、ＲＲＣ接続設定やＲＲＣ接続再樹立のためにランダムアクセスを開始することもできる。又は、ハンドオーバーを行った後、ターゲットセルでランダムアクセスを開始することもできる。このような場合、端末はＰＣｅｌｌでランダムアクセスを開始することが好ましい。しかし、前述したようにＳｃｅｌｌのアップリンク送信タイミングを樹立しようとする場合であれば、当該Ｓｃｅｌｌでランダムアクセスを開始しなければならない。ＰＣｅｌｌでランダムアクセスを行う場合と異なりＳｃｅｌｌでランダムアクセスを開始する場合には、基地局がＳｃｅｌｌランダムアクセス遂行可否を直接制御する。すなわち、端末が恣意的にＳｃｅｌｌでランダムアクセスを開始しないようにすることによって、Ｓｃｅｌｌのランダムアクセスロードを適切な水準で制御し、基地局が所望の時点に端末がランダムアクセスを行うようにする。
【００４４】
図５は、本発明の一実施形態によるハンドオーバー過程を示す図面である。
【００４５】
図５を参照すれば、端末５０２及びターゲット基地局５０４の間に信号が送受信されることができ、ターゲット基地局５０４はＭＡＣレイヤー５０６及びＰＤＣＰレイヤー５０８のうちの少なくとも一つを含むことができる。また、実施形態で端末５０２はソース基地局からターゲット基地局５０４にハンドオーバーされた状況を仮定することができる。また、ターゲット基地局５０４はソース基地局又はコアネットワークからフォワーディングされた端末のためのデータをバッファリングできる。また、ハンドオーバーには図示されたメッセージ以外にも端末５０２及びターゲット基地局５０４間にメッセージが交換されることができる。
【００４６】
段階５１０で端末５０２はＭＡＣレイヤー５０６でＲａｎｄｏｍ Ａｃｃｅｓｓを行うためのＲａｎｄｏｍ Ａｃｃｅｓｓ Ｐｒｅａｍｂｌｅを送信することができる。前記Ｒａｎｄｏｍ Ａｃｃｅｓｓ Ｐｒｅａｍｂｌｅは端末のためのＤｅｄｉｃａｔｅｄＰｒｅａｍｂｌｅであることがある。
【００４７】
段階５１５で前記Ｒａｎｄｏｍ Ａｃｃｅｓｓ Ｐｒｅａｍｂｌｅを受信したＭＡＣレイヤー５０６は端末５０２にＲａｎｄｏｍ Ａｃｃｅｓｓ Ｒｅｓｐｏｎｓｅメッセージを送信することができる。メッセージに含まれる内容は図４で開始された内容により決定されることができる。
【００４８】
段階５２０でＭＡＣレイヤー５０６はＰＤＣＰレイヤー５０８へＲＡＲインジケーター(Ｉｎｄｉｃａｔｏｒ)を送信することができる。前記ＲＡＲインジケーターはＲＡＲメッセージが端末５０２へ送信されたという情報を含むことができる。
【００４９】
実施形態でターゲット基地局５０４は段階５１０以前から段階５２５以前の間に端末のためにフォワーディングされたデータをソース基地局又はコアネットワークから受信し、前記受信したフォワーディングされたデータをバッファリングできる。
【００５０】
段階５２５でＰＤＣＰレイヤー５０８はバッファリングされた端末５０２のためのデータペキッを端末５０２へ送信することができる。より具体的にターゲット基地局５０４は前記段階５１０で受信したＲａｎｄｏｍ Ａｃｃｅｓｓ Ｐｒｅａｍｂｌｅを介して送信すべきパケットが送信される端末を決定することができる。
【００５１】
段階５３０で端末５０２はＭＡＣレイヤー５０６へＲＲＣ Ｃｏｎｎｅｃｔｉｏｎ Ｒｅｃｏｎｆｉｇｕｒａｔｉｏｎ Ｃｏｍｐｌｅｔｅ メッセージを送信することができる。前記メッセージを送信することによってハンドオーバーが完了したということを判定することができる。
【００５２】
このようにターゲット基地局５０４が段階５３０のメッセージを受信する前にバッファリングされたデータを端末５０２に送信することによってハンドオーバーによってデータ送信の遅延が生ずることを防止することができ、これによりユーザの便宜性が向上することができる。
【００５３】
図６は、本発明の他の実施形態によるハンドオーバー過程を示す図面である。
【００５４】
図６を参照すれば、端末６０２、ターゲット基地局６０４及びソース基地局６０８間に信号が送受信されることができる。ターゲット基地局６０４は、ＰＨＹ／ＭＡＣ／ＲＣＬレイヤー６０５(以後、ＭＡＣレイヤーと称する)、ＰＤＣＰレイヤー６０６及びＲＲＣレイヤー６０７のうちの少なくとも一つを含むことができる。端末６０２及びソース基地局６０８も１個以上のレイヤーを含むことができるが、説明の便宜のために１個のノードで表示した。
【００５５】
段階６１０で端末６０２はソース基地局６０８に測定結果報告(Ｍｅａｓｕｒｅｍｅｎｔ Ｒｅｐｏｒｔを送信することができる。より具体的に、端末６０２はソース基地局６０８及びターゲット基地局６０４が送信した信号の強度を測定し、測定結果をソース基地局６０８へ送信することができる。
【００５６】
段階６１５でソース基地局６０８は前記Ｍｅａｓｕｒｅｍｅｎｔ Ｒｅｐｏｒｔに基づいて端末６０２をハンドオーバーするか決定することができる。例えば、端末６０２が測定したソース基地局６０８信号強度よりターゲット基地局６０４信号強度がより強いと、ハンドオーバーを進行することに決定することができる。以外にも端末６０２がターゲット基地局６０４と信号送受信することがさらに容易と判定される場合にソース基地局６０８は端末６０２をターゲット基地局でハンドオーバーすることで判定することができる。
【００５７】
ソース基地局６０８がハンドオーバーを進行することで決定すると、段階６２０でソース基地局６０８はターゲット基地局６０４へハンドオーバーリクエスト(Ｈａｎｄｏｖｅｒ Ｒｅｑｕｅｓｔ)メッセージを伝達することができる。実施形態で前記ハンドオーバーリクエストメッセージはＲＲＣレイヤー６０７で伝達することができる。
【００５８】
ハンドオーバーリクエストメッセージを受けたターゲット基地局６０４は段階６２５で端末６０２のためのコンテクスト及びリソースを割り当てて、コンテクストの割り当て及びリソースの割り当てに関する情報のうちの少なくとも一つを含むハンドオーバーリクエスト確認(Ｈａｎｄｏｖｅｒ Ｒｅｑｕｅｓｔ Ｃｏｎｆｉｒｍ)メッセージをソース基地局６０８へ伝達することができる。
【００５９】
実施形態でハンドオーバーリクエストメッセージ及びハンドオーバーリクエスト確認メッセージのうちの少なくとも一つは、例えば、ＲＲＣメッセージの形態で伝達することができる。
【００６０】
段階６３０でソース基地局６０８は前記ターゲット基地局６０４から受信したコンテクストの割り当て及びリソースの割り当てに関する情報及び端末６０２にターゲット基地局６０４で基地局の変更指示を含むハンドオーバーコマンド(Ｈａｎｄｏｖｅｒ Ｃｏｍｍａｎｄ)を端末６０２に送信する。
【００６１】
段階６３５で一方のソース基地局６０８は前記ハンドオーバーコマンドを端末６０２に送信した後に前記ソース基地局６０８が受信したパケットの中で端末６０２へ伝達しなければならないパケットをターゲット基地局６０４へ送信する。前記送信されるパケットはＰＤＣＰレイヤー６０６へ送信されることができる。実施形態でハンドオーバー以前に端末６０２が通話中であれば通話のためのパケットが端末６０２へ伝達しなければならないパケットとなる。又は、ハンドオーバー以前に端末６０２が無線インターネットを介してダウンロード中であればダウンロードデータのパケットが端末６０２へ伝達しなければならないパケットとなる。また、前記伝達するパケットはＶｏＬＴＥ(Ｖｏｉｃｅ ｏｖｅｒ ＬＴＥ)に他のパケットを含むことができる。また、ソース基地局６０８は、前記Ｈａｎｄｏｖｅｒ Ｒｅｑｕｅｓｔ Ｃｏｎｆｉｒｍメッセージの受信に対応してターゲット基地局６０４でパケットフォワーディングを開始することができる。
【００６２】
段階６４０でターゲット基地局６０４は前記受信されたパケットを記憶することができる。より具体的に、前記受信されたパケットを端末６０２に伝達するために臨時でパケットを記憶することができ、これをパケットバッファリングと称することができる。
【００６３】
段階６４５で端末６０２は前記受信したＨａｎｄｏｖｅｒ Ｃｏｍｍａｎｄに基づいてＲａｎｄｏｍ Ａｃｃｅｓｓ Ｐｒｅａｍｂｌｅをターゲット基地局６０４へ送信することができる。より具体的に、前記Ｒａｎｄｏｍ Ａｃｃｅｓｓ ＰｒｅａｍｂｌｅはＤｅｄｉｃａｔｅｄＰｒｅａｍｂｌｅであることがあり、ターゲット基地局６０４のＭＡＣレイヤー６０５へ送信されることができる。実施形態で前記Ｒａｎｄｏｍ Ａｃｃｅｓｓ Ｐｒｅａｍｂｌｅは共用チャンネルを介して伝達されることができる。実施形態でターゲット基地局６０４は前記Ｒａｎｄｏｍ Ａｃｃｅｓｓ Ｐｒｅａｍｂｌｅを受信した後、端末６０２に対するリソース割り当て作業を行うことができる。
【００６４】
段階６５０でターゲット基地局６０４は前記Ｒａｎｄｏｍ Ａｃｃｅｓｓ Ｐｒｅａｍｂｌｅに対応したＲａｎｄｏｍ Ａｃｃｅｓｓ Ｒｅｓｐｏｎｓｅを端末６０２に送信することができる。前記Ｒａｎｄｏｍ Ａｃｃｅｓｓ Ｒｅｓｐｏｎｓｅは端末６０２に対するリソース割り当て情報のような端末６０２がターゲット基地局６０４と信号を送受信できる情報を含むことができる。
【００６５】
段階６５５でターゲット基地局６０４は前記受信したＲａｎｄｏｍ Ａｃｃｅｓｓ Ｐｒｅａｍｂｌｅ受信に対応してＰＤＣＰレイヤー６０６にバッファリングされた端末６０２のためのパケットを送信するためのインジケーターをＭＡＣレイヤー６０５からＰＤＣＰレイヤー６０６に伝達することができる。また、他の実施形態によれば、ターゲット基地局６０４はＲａｎｄｏｍ Ａｃｃｅｓｓ Ｒｅｓｐｏｎｓｅに対応して前記インジケーターをＭＡＣレイヤー６０５からＰＤＣＰレイヤー６０６に伝達することができる。より具体的に、前記インジケーターはＲａｎｄｏｍ Ａｃｃｅｓｓ Ｐｒｅａｍｂｌｅを受信した以後にＰＤＣＰレイヤー６０６へ伝達することができる。
【００６６】
段階６６０でＰＤＣＰレイヤー６０６はＲＲＣレイヤー６０７にハンドオーバー完了を通知するためのメッセージを伝達することができる。より具体的に、前記メッセージはｍｓｇＣｑｄｃｐＲａｒＩｄを含むことができる。
【００６７】
段階６６５でＲＲＣレイヤー６０７はハンドオーバー完了を通知するためにＰＤＣＰレイヤー６０６へメッセージを伝達することができる。より具体的に、前記メッセージはｍｓｇＣｐｄＣｐＣｏｎｔｒｏｌメッセージを含むことができる。
【００６８】
段階６７０でターゲット基地局６０４は端末６０２のためにバッファリングされたパケットを端末６０２に伝達することができる。より具体的に、ＰＤＣＰレイヤー６０６にバッファリングされたデータを端末６０２に伝達することができる。実施形態でＰＤＣＰレイヤー６０６は前記段階６５５で受信したインジケーターに対応してバッファリングされたパケットを端末６０２へ伝達する動作を開始することができる。実施形態の端末６０２はＨａｎｄｏｖｅｒ Ｃｏｍｐｌｅｔｅメッセージを送信する以前にバッファリングされたデータを受信できる。したがって、端末６０２はＲａｎｄｏｍ Ａｃｃｅｓｓ Ｐｒｅａｍｂｌｅ送信又はＲａｎｄｏｍ Ａｃｃｅｓｓ Ｒｅｓｐｏｎｓｅ受信のうちの少なくとも一つに対応してターゲット基地局６０４からバッファリングされたデータを受信するための準備手続きを行うことができる。また、端末６０２は別途の準備手続き無しにバッファリングされたパケットがターゲット基地局６０４から送信される場合、パケットを受信することもできる。
【００６９】
段階６７５で端末６０２は前記Ｒａｎｄｏｍ Ａｃｃｅｓｓ Ｒｅｓｐｏｎｓｅメッセージに対応してハンドオーバー完了を通知するメッセージを伝達することができる。より具体的に、前記ハンドオーバー完了を通知するメッセージはＨａｎｄｏｖｅｒ Ｃｏｍｐｌｅｔｅメッセージを含むことができ、このような動作を介してＲＲＣｃｏｎｎｅｃｔｉｏｎ Ｒｅｃｏｎｆｉｇｕｒａｔｉｏｎ手続きが完了することができる。
【００７０】
前記の実施形態のようにターゲット基地局６０４は端末６０２が送信したＲａｎｄｏｍ Ａｃｃｅｓｓ Ｐｒｅａｍｂｌｅを受信し、ここに対応したＲａｎｄｏｍ Ａｃｃｅｓｓ Ｒｅｓｐｏｎｓｅを端末６０２に送信することができ、前記Ｒａｎｄｏｍ Ａｃｃｅｓｓ Ｐｒｅａｍｂｌｅ受信及びＲａｎｄｏｍ Ａｃｃｅｓｓ Ｒｅｓｐｏｎｓｅ送信に対応して端末６０２のためにバッファリングされたパケット送信を行うことができる。
【００７１】
実施形態でターゲット基地局６０４はＨａｎｄｏｖｅｒ Ｃｏｍｐｌｅｔｅメッセージを受信する以前に端末６０２のためにバッファリングされたパケットを送信することができ、端末６０２はＨａｎｄｏｖｅｒ Ｃｏｍｐｌｅｔｅメッセージがターゲット基地局６０４へ送信される以前にターゲット基地局６０４からバッファリングされたパケットを受信することができる。
【００７２】
このようにターゲット基地局６０４がＨａｎｄｏｖｅｒ Ｃｏｍｐｌｅｔｅメッセージを受信する以前に端末６０５のためのバッファリングされたパケットを端末６０２へ送信することによってハンドオーバーによるデータ送信の遅延が減り、これによるレイテンシ(Ｌａｔｅｎｃｙ)が減ることができる。
【００７３】
図７は、本発明の実施形態によるターゲット基地局の動作を示す図面である。
【００７４】
図７を参照すれば、実施形態のターゲット基地局はソース基地局及び端末のうちの少なくとも一つと信号を送受信することができる。
【００７５】
段階７０５でターゲット基地局はソース基地局からＨａｎｄｏｖｅｒ Ｒｅｑｕｅｓｔを受信することができる。前記Ｈａｎｄｏｖｅｒ ＲｅｑｕｅｓｔはＨａｎｄｏｖｅｒをする端末の情報が含まれることができる。
【００７６】
段階７１０でターゲット基地局はＨａｎｄｏｖｅｒ ＲｅｑｕｅｓｔＣｏｎｆｉｒｍメッセージをソース基地局に送信することができる。より具体的に、ターゲット基地局は端末のためのコンテクスト及びリソースを割り当てて、前記割り当てられた情報のうちの少なくとも一つを含むＨａｎｄｏｖｅｒ ＲｅｑｕｅｓｔＣｏｎｆｉｒｍメッセージをソース基地局へ送信することができる。
【００７７】
段階７１５でターゲット基地局はソース基地局又はコアネットワークからフォワーディングされた前記端末のためのパケットを受信してバッファリングできる。実施形態にしたがって前記フォワーディングされたパケットはターゲット基地局に臨時に記憶されることができる。
【００７８】
段階７２０でターゲット基地局はハンドオーバーを行う端末からＲａｎｄｏｍ Ａｃｃｅｓｓ Ｐｒｅａｍｂｌｅを受信することができる。実施形態で前記Ｒａｎｄｏｍ Ａｃｃｅｓｓ Ｐｒｅａｍｂｌｅは前記端末のためのＤｅｄｉｃａｔｅｄＰｒｅａｍｂｌｅであることがある。実施形態で前記Ｒａｎｄｏｍ Ａｃｃｅｓｓ Ｐｒｅａｍｂｌｅは共用チャンネルを通じて伝達することができる。実施形態でターゲット基地局は前記Ｒａｎｄｏｍ Ａｃｃｅｓｓ Ｐｒｅａｍｂｌｅを受信した後、端末に対するリソース割り当て作業を行うことができる。
【００７９】
段階７２５でターゲット基地局は前記受信したＲａｎｄｏｍ Ａｃｃｅｓｓ Ｐｒｅａｍｂｌｅに対応して前記端末でＲａｎｄｏｍ Ａｃｃｅｓｓ Ｒｅｓｐｏｎｓｅを送信することができる。前記Ｒａｎｄｏｍ Ａｃｃｅｓｓ Ｒｅｓｐｏｎｓｅは端末に対するリソース割り当て情報のような端末がターゲット基地局と信号を送受信できる情報を含むことができる。
【００８０】
段階７３０で前記ターゲット基地局はバッファリングされたパケット中で音声コール関連パケットがあるかを判定することができる。より具体的に、前記ターゲット基地局は前記端末のためにバッファリングされたパケット中でＶｏＬＴＥに係るパケットがあるかを判定することができる。実施形態によって前記判定段階は前記段階７１５でフォワーディングされたパケットが受信された以後に行われることもできる。また、実施形態によって段階７３０は選択的に進行されることができ、前記段階７３０による判定がない場合。直ちに段階７３５に進行されることができる。一実施形態によってバッファリングされたパケットの中で音声コール関連パケットがある場合、段階７３５で進行し、そうではない場合、段階７４５で進行することができる。
【００８１】
段階７３５でターゲット基地局はＲａｎｄｏｍ Ａｃｃｅｓｓ Ｒｅｓｐｏｎｓｅメッセージを送信し、これに対応してバッファリングされたパケットを端末へ送信することができる。また他の実施形態によれば、Ｒａｎｄｏｍ Ａｃｃｅｓｓ Ｐｒｅａｍｂｌｅ受信に対応してバッファリングされたパケットを端末に送信することができる。また、他の実施形態によれば、端末のためのフォワーディングされたパケットが基地局にバッファリングされており、ハンドオーバーを行う端末からＲａｎｄｏｍ Ａｃｃｅｓｓ Ｐｒｅａｍｂｌｅを受信すると、基地局は端末にバッファリングされたパケットを伝達することができる。
【００８２】
段階７４０でターゲット基地局は端末からＨａｎｄｏｖｅｒ Ｃｏｍｐｌｅｔｅメッセージを受信することができる。実施形態でバッファリングされたパケット中で音声コール関連パケットがある場合、又はすべてのバッファリングされたパケットに対してターゲット基地局がＨａｎｄｏｖｅｒ Ｃｏｍｐｌｅｔｅメッセージを受信する以前に端末にパケットを送り始めることによってハンドオーバーによるデータ送信のレイテンシが長くなることを阻むことができる。より具体的に、ＶｏＬＴＥサービスを用いる端末がＨａｎｄｏｖｅｒを行う場合、短いレイテンシ増加だけがあってもユーザがサービス品質低下を確実に感じることができるが、このようにレイテンシが減る場合、ユーザ便宜性が向上することができる。
【００８３】
段階７４５でターゲット基地局は端末からＨａｎｄｏｖｅｒ Ｃｏｍｐｌｅｔｅ メッセージを受信し、これに対応して段階７５０で端末のためにバッファリングされたパケットを送信することができる。
【００８４】
図８は、本発明の実施形態による基地局を示す図面である。
【００８５】
図８を参照すれば、実施形態による基地局８００は端末及び他の基地局のうちの少なくとも一つと信号を送受信することができる送受信部８１０と、送受信されるデータ及び基地局８００動作に必要なデータのうちの少なくとも一つを記憶することができる記憶部８２０と、送受信部８１０と記憶部８２０を制御し、基地局８００全般の動作を制御する基地局制御部８３０と、を含むことができる。さらに、実施形態において、基地局８００はターゲット基地局及びソース基地局のうちの少なくとも一つで動作することができる。
【００８６】
前記送受信部８１０は、端末及び他の基地局のうちの少なくとも一つと信号を送受信することができ、信号を送信する送信部及び信号を受信する受信部を含むことができる。
【００８７】
より具体的に、基地局制御部８３０は端末からＭｅａｓｕｒｅｍｅｎｔ Ｒｅｐｏｒｔを受信し、これに基づいてハンドオーバー可否を決定することができる。さらに、Ｈａｎｄｏｖｅｒ Ｒｅｑｕｅｓｔ及びＨａｎｄｏｖｅｒ ＲｅｑｕｅｓｔＣｏｎｆｉｒｍを送受信することができる。さらに、ハンドオーバーが決定される場合、端末でＨａｎｄｏｖｅｒ Ｃｏｍｍａｎｄを送信することができ、他の基地局と前記端末のためのパケットを送受信することができ、パケットが受信される場合、端末のためにバッファリングを行うことができる。さらに、端末からＲａｎｄｏｍ Ａｃｃｅｓｓ Ｐｒｅａｍｂｌｅを受信し、これに対応してＲａｎｄｏｍ Ａｃｃｅｓｓ Ｒｅｓｐｏｎｓｅを端末に送信することができ、Ｈａｎｄｏｖｅｒ Ｃｏｍｐｌｅｔｅメッセージが前記端末から受信される以前又は受信されることに関係せずバッファリングされたパケットを前記端末へ送信することができる。さらに、ハンドオーバーが完了した端末からＨａｎｄｏｖｅｒ Ｃｏｍｐｌｅｔｅを受信することができる。
【００８８】
基地局制御部８３０は、ＰＨＹ／ＭＡＣ／ＲＬＣレイヤー、ＰＤＣＰレイヤー及びＲＲＣレイヤーのうちのいずれか１つを制御することができる。より具体的に、端末からＲａｎｄｏｍ Ａｃｃｅｓｓ ＰｒｅａｍｂｌｅがＲＬＣレイヤーに受信される場合、前記受信されたＲａｎｄｏｍ Ａｃｃｅｓｓ Ｐｒｅａｍｂｌｅ及びＲａｎｄｏｍ Ａｃｃｅｓｓ Ｒｅｓｐｏｎｓｅのうちの少なくとも一つに対応してＲＬＣレイヤーからＰＤＣＰレイヤーにバッファリングされたパケットの送信を指示するインジケーターを送信することができる。ＰＤＣＰレイヤーは前記インジケーターに基づいてバッファリングされたデータを端末へ送信することができる。
【００８９】
さらに、基地局制御部８３０は明細書全般の実施形態で開示された基地局８００の動作を制御することができる。
【００９０】
図９は、本発明の実施形態による端末を示す図面である。
【００９１】
図９を参照すれば、実施形態による端末９００は基地局と信号を送受信することができる送受信部９１０、送受信されるデータ及び端末９００動作に必要なデータのうちの少なくとも一つを記憶することができる記憶部９２０と、及び送受信部９１０と記憶部９２０を制御し、端末９００全般の動作を制御する端末制御部９３０と、を含むことができる。
【００９２】
前記送受信部９１０は基地局と信号を送受信することができ、信号を送信する送信部及び信号を受信する受信部を含むことができる。
【００９３】
実施形態で端末制御部９３０はソース基地局及びターゲット基地局から受信された信号のうちの少なくとも一つに基づいてＭｅａｓｕｒｅｍｅｎｔ Ｒｅｐｏｒｔをソース基地局へ送信することができ、ここに対応したＨａｎｄｏｖｅｒ Ｃｏｍｍａｎｄを基地局から受信することができる。さらに、Ｒａｎｄｏｍ Ａｃｃｅｓｓ Ｐｒｅａｍｂｌｅをターゲット基地局へ送信することができ、ここに対応したＲａｎｄｏｍ Ａｃｃｅｓｓ Ｒｅｓｐｏｎｓｅをターゲット基地局から受信することができる。さらに、ターゲット基地局でフォワーディングされてバッファリングされたパケットを前記ターゲット基地局から受信することができる。さらに、ハンドオーバー完了を通知するＨａｎｄｏｖｅｒ Ｃｏｍｐｌｅｔｅをターゲット基地局へ送信することができる。実施形態で端末はＨａｎｄｃｏｍｅｒ Ｃｏｍｐｌｅｔｅメッセージがターゲット基地局に受信される以前にターゲット基地局からハンドオーバーによってフォワーディングされたパケットを受信することができる。
【００９４】
さらに、端末制御部９３０は明細書全般の実施形態で開示された端末の動作を制御することができる。
【００９５】
一方、本発明及び図面には本発明の好ましい実施形態に対して開示した。たとえ特定用語が用いられても、これはただ本発明の技術内容を容易に説明して発明の理解を助けるための一般的な意味で使用されたもので、本発明の範囲を限定しようとするものではない。ここに開示された実施形態の外にも本発明の技術的思想に基づいた他の変形例が実施可能であるということは本発明が属する技術分野で通常の知識を有する者に自明なものである。
【符号の説明】
【００９６】
５０２  端末
５０４  ターゲット基地局
５０６  ＭＡＣレイヤー
５０８  ＰＤＣＰレイヤー
【図１】
0006657114.tif 000002
【図２】
0006657114.tif 000003
【図３】
0006657114.tif 000004
【図４】
0006657114.tif 000005
【図５】
0006657114.tif 000006
【図６】
0006657114.tif 000007
【図７】
0006657114.tif 000008
【図８】
0006657114.tif 000009
【図９】
0006657114.tif 000010